(57)【特許請求の範囲】
【請求項１】
ソケット主体（１１）及びスライドカバー（１０）からなるソケット（１）と、該ソケット（１）に対して着脱可能なプラグ（２）とから構成し、プラグ（２）はソケット主体（１１）の係合部に対する係合手段を備えた係合脚（２０）を備え、スライドカバー（１０）はソケット主体（１１）に対して、プラグ着脱方向に往復摺動するように取付けてなる合成樹脂製バックルにおいて、
スライドカバーは、カバー基板（１００）の内面に押圧突起（１０３）を形成し、
プラグ（２）のベルト連結部から形成した二本の係合脚（２０）は、外側面（２３）に平面視輪郭「く」の字形の傾斜面を有する脚拡縮幅部（２４）を形成し、
ソケットとプラグの係合状態において、ソケット主体（１１）の内側壁面（１１８）と係合脚（２０）の外側面（２３）との間に通路（１２）を形成して、該通路（１２）内に前記スライドカバー（１０）の押圧突起（１０３）が嵌り込み、
通路（１２）は、前記脚拡縮幅部（２４）によって、通路縮幅部（１２０）及び該通路縮幅部に連続する通路拡幅部（１２１）を有する構成とし、
前記押圧突起（１０３）が通路縮幅部（１２０）から通路拡幅部（１２１）に移動することで
スライドカバー（１０）は、ソケット主体（１１）に対してプラグ挿入方向にスライドして、ソケット（１）とプラグ（２）の係合を解除することを特徴とする合成樹脂製バックル。
【請求項２】
ソケット主体（１１）及びスライドカバー（１０）からなるソケット（１）と、該ソケット（１）に対して着脱可能なプラグ（２）とから構成し、プラグ（２）はソケット主体（１１）の係合部に対する係合手段を備えた係合脚（２０）を備え、スライドカバー（１０）はソケット主体（１１）に対して、プラグ着脱方向に往復摺動するように取付けてなる合成樹脂製バックルにおいて、
スライドカバーは、カバー基板（１００）の内面に押圧突起（１０３）を形成し、
ソケット主体（１１）の内側壁面（１１８）には傾斜面を形成し、
ソケットとプラグの係合状態において、ソケット主体（１１）の内側壁面（１１８）と係合脚（２０）の外側面（２３）との間に通路（１２）を形成して、該通路（１２）内に前記スライドカバー（１０）の押圧突起（１０３）が嵌り込み、
通路（１２）は、ソケット主体（１１）の内側壁面（１１８）に形成した傾斜面によって、通路縮幅部（１２０）及び該通路縮幅部（１２０）に連続する通路拡幅部（１２１）を有する構成とし、
前記押圧突起（１０３）が通路縮幅部（１２０）から通路拡幅部（１２１）に移動することで
スライドカバー（１０）は、ソケット主体（１１）に対してプラグ挿入方向にスライドして、ソケット（１）とプラグ（２）の係合を解除することを特徴とする合成樹脂製バックル。
【請求項３】
ソケット主体（１１）は、ベルト連結部（１１０）と主体基部（１１１）とからなり、前記主体基部（１１１）は、基部底面（１１３）と該基部底面（１１３）の両側縁に起立する基部側壁（１１５）とを備え、スライドカバー（１０）は、カバー基板（１００）と該カバー基板（１００）の両端に対して垂直にカバー側壁（１０１）（１０１）を形成した構成を有する合成樹脂製バックルにおいて、
ソケット主体（１１）の基部底面（１１３）は、スライド規制孔（１１６）を備え、
スライドカバー（１０）のカバー基板（１００）の内面にはスライド規制突起（１０２）を形成し、
スライド規制孔（１１６）にスライド規制突起（１０２）が嵌ることによって、ソケット主体（１１）に対してスライドカバー（１０）が一定範囲内で往復摺動可能となることを特徴とする請求項１又は２記載の合成樹脂製バックル。
【発明の詳細な説明】
【０００１】
【発明が属する技術分野】
本発明は、ベルト端部相互の着脱を確実且つ容易とする合成樹脂製バックルに関するものである。
【０００２】
【従来の技術】
従来より、ベルト端部相互の連結、脱着を行う合成樹脂製バックルとして、ソケット両側部にプラグの係合爪の一部が押圧部として突出したもの（以下、先行技術１という。）や、特開平８−５６７１０に開示される合成樹脂製バックル、即ち、ソケット側にプラグとソケットを脱着するための押込みレバーをソケットに設けた構成を有する合成樹脂製バックル（以下、先行技術２という。）が公知である。
【０００３】
【発明が解決しようとする課題】
一般に、合成樹脂製バックルは、合成樹脂という素材の持つ軽量、低コストであるメリットを有する一方で、若干の可撓性を有する合成樹脂を使用して、連結具として十分な実用性を確保する必要がある。即ち、十分な安全性を有し、不用意なプラグとソケットの離脱が生じず、その上で、着脱操作は容易であることが望ましい。
【０００４】
上記先行技術１に係る合成樹脂製バックルにおいては、係合状態においては非常に強固に連結され、不用意なプラグとソケットの離脱が生じないものであるが、プラグからソケットを取外す際において、ソケット両側部に突出する押圧部を、両側から親指と人差し指で把持して内側へ極めて強く押さえ込み、その押さえ込んだ状態を維持しながら、ソケットをプラグから引き離す操作を行わなければならず、非常に面倒なものであった。
【０００５】
また、当該取外しの際には、直接押圧部を親指及び人差し指で力を入れて押込むことから、押さえこんでいる親指と人差し指の指先を傷めやすい欠点があった。
【０００６】
更に、通常、バックルの押圧部は当該バックルの底面よりも幅が狭いものであることから、親指と人差し指とで強く挟みこむ機構を使用すると、当該指での挟み込みの際に、バックルを持ち損ねやすく、把持、操作性が十分なものではなかった。
【０００７】
一方、前記した先行技術２に係る発明においては、ソケット側に、当該ソケットとプラグを脱着する押圧部があることから、先行技術１に係る合成樹脂製バックルと比べて押込み量がいくぶん減少して、脱着性、指先の痛みを緩和する点、バックルを持ち損ねやすい点については向上するものの、ソケットを持つだけで、不用意なプラグとソケットの離脱が生じやすいという欠点が存在し、更には、押圧部を、両側から親指と人差し指で把持して内側へある程度強く押さえ込み、その押さえ込んだ状態を維持しながら、ソケットをプラグから引き離す操作を行う点においては、先行技術１と同様に煩わしいものであることから、結局、十分な実用性を備えているとはいえないものであった。
【０００８】
本発明は以上の事情に鑑みてなされたものであり、不用意なプラグとソケットの離脱を確実に防止した上で、プラグとソケットの取外しが極めて容易、迅速に可能であり、また、ソケットの縁部等で指を痛めることもなく、更には、脱着操作時に持ち損ねが生じることのない、極めて優れた合成樹脂製のバックルを提供することを課題とする。
【０００９】
【課題を解決するための手段】
ソケット主体（１１）及びスライドカバー（１０）からなるソケット（１）と、該ソケット（１）に対して着脱可能なプラグ（２）とから構成し、プラグ（２）はソケット主体（１１）の係合部に対する係合手段を備えた係合脚（２０）を備え、スライドカバー（１０）はソケット主体（１１）に対して、プラグ着脱方向に往復摺動するように取付けてなる合成樹脂製バックルにおいて、スライドカバーは、カバー基板（１００）の内面に押圧突起（１０３）を形成し、プラグ（２）のベルト連結部から形成した二本の係合脚（２０）は、外側面（２３）に平面視輪郭「く」の字形の傾斜面を有する脚拡縮幅部（２４）を形成し、ソケットとプラグの係合状態において、ソケット主体（１１）の内側壁面（１１８）と係合脚（２０）の外側面（２３）との間に通路（１２）を形成して、該通路（１２）内に前記スライドカバー（１０）の押圧突起（１０３）が嵌り込み、通路（１２）は、前記脚拡縮幅部（２４）によって、通路縮幅部（１２０）及び該通路縮幅部に連続する通路拡幅部（１２１）を有する構成とし、前記押圧突起（１０３）が通路縮幅部（１２０）から通路拡幅部（１２１）に移動することでスライドカバー（１０）は、ソケット主体（１１）に対してプラグ挿入方向にスライドして、ソケット（１）とプラグ（２）の係合を解除する合成樹脂製バックルを、課題を解決するための手段とするものである。
【００１０】
【発明の効果】
本発明によれば、ソケットとプラグとの係合状態において、ソケット主体に対してスライダをソケット及びプラグの着脱方向に摺動させることにより、通路内の前記押圧突起が、スライドカバーの移動に追従して、縮幅部を移動するとともにプラグの係合脚の側面及びソケット主体の内側壁を押圧して、係合脚を湾曲状態とし、前記押圧突起が縮幅部を超えて拡幅部に至った状態において、ソケット主体基部の係合部とプラグの係合脚における係合手段との係合の解除状態を確保する構成としたことから、縮幅部を超える程度までは、ソケット主体基部の係合部とプラグの係合脚における係合手段との係合が解除されず、これによって、不用意なプラグとソケットの離脱を確実に防止することができる。
【００１１】
また、押圧突起が一旦通路縮幅部を超えて通路拡幅部に至ると、押圧突起の戻り方向に対して、通路拡幅部が縮幅部として機能することとなり、押圧突起が不用意に戻り方向へスライドしないものとすることができることから、スムーズな脱着操作を実現することができる。
【００１２】
更に、本発明によれば、脱着方向と、スライド方向とが一致することから、脱着操作を極めて容易且つ迅速に行うことができる。即ち、スライドカバーのみを持ち、脱着方向にソケットを引くだけで、ソケットとプラグを脱着することができる。
【００１３】
また、本発明によれば、スライドカバーのみを把持、スライドするだけでソケットとプラグを脱着する構成としたことから、ソケットの縁部等で指を痛めることもなく、係合を解除するために押圧部を指で挟んで強く押込む操作もないことから、バックルを持ち損ねることもないものとすることができる。
【００１４】
【発明の実施の形態及び実施例】
図１は本発明の実施例に係る合成樹脂製バックルの分解状態を示す平面図、図２は同実施例に係る合成樹脂製バックルの分離状態を示す平面図、図３は本発明の実施例に係る合成樹脂製バックルの係合状態を示す一部断面とした平面図、図４は同実施例に係る合成樹脂製バックルの係合が解除された状態を示す一部断面とした平面図、図５は他の実施例に係る合成樹脂製バックルの係合状態を示す一部断面図、図６は本発明の実施例に係る合成樹脂製バックルの使用状態を示す説明図である。
【００１５】
本発明の実施例に係る合成樹脂製バックルは、図１乃至図４に示すように、ベルトの端部ｖ１、ｖ２の相互を連結するためのバックルであり、スライドカバー１０とソケット主体１１とからなる、全長２４ｍｍ、幅２６ｍｍ、高さ７ｍｍ程度のポリアセタール樹脂製のソケット１と、該ソケット１の開口部１３に対して長さ２２ｍｍ程度の二本の係合脚２０を差し込むことによって当該ソケット１と相互に係脱可能となる、全長３６ｍｍ程度のポリアセタール製のプラグ２とから構成されるものであり、使用状態は図６に示す形態となるものである。
【００１６】
ここで、ソケット主体１１は、ベルト端部ｖ１との連結手段としてベルト通し穴１１２を備えたベルト連結部１１０と、基部底面１１３及び該基部底面１１３の両側縁に起立する基部側壁１１５とから構成される主体基部１１１とを連結した構成を有し、前記基部側壁１１５の内側壁面１１８には、プラグ２との係合部となる係合受部１１４、１１４と、プラグ２をソケット１内に正確に案内するためのスライドガイド部１１９を形成したものとしている。
【００１７】
また、スライドカバー１０との組付け手段として、規制範囲内での当該スライドカバー１０に対する往復摺動を可能とするため、基部側壁１１５、１１５の外面には組付用突起１１７、１１７が、基部底面１１３にはスライド規制孔１１６及び傾斜面を有する突条とした挿入ガイド部１９０が夫々形成されている。
【００１８】
また、スライドカバー１０は、カバー基板１００及び該カバー基板１００の両端に対して垂直にカバー側壁１０１、１０１を形成した構成を有し、カバー基板１００の内面にはスライド規制突起１０２と二本の押圧突起１０３、１０３を、また前記カバー側壁１０１、１０１には組付用長孔１０４、１０４を、夫々形成した構成したものである。
【００１９】
そして、ソケット主体１１の組付用突起１１７、１１７がスライドカバー１０の組付用長孔１０４、１０４に嵌り、ソケット主体１１のスライド規制孔１１６にスライドカバー１０のスライド規制突起１０２が嵌ることによって、ソケット主体１１に対してスライドカバー１０が一定範囲内で往復摺動可能として取付けられるとともに、ソケット１に開口部１３が形成される。
【００２０】
次に、プラグ２は、係合部と、該係合部より広幅で、且つベルト通し穴を形成したベルト連結部２１とを連結して構成されるものであり、係合部は、二本の係合脚２０、２０からなる。係合脚２０、２０の根元には、ソケット開口部幅に嵌合する幅を有し、且つ係合脚の根元の強度を確保するための補強部２６が形成されている。
【００２１】
当該係合脚２０、２０は、端部外側位置に係合爪部２２、２２を形成するとともに、中央部外側近傍の輪郭形状を、平面視「く」の字形となる脚拡縮幅部２４、２４を形成している。
【００２２】
このような構成とすることにより、ソケット１の開口部１３へプラグ２を差し込む際には、ソケット１のスライドカバー１０と、プラグ２とを把持して行うのみでよく、ソケット１内に係合脚２０、２０が進入することによって前記係合脚２０、２０の外側面２３、２３と基部側壁１１５内面との間に通路１２、１２が形成され、スライドカバー１０のカバー基板１００の内面から垂下される二本の押圧突起１０３、１０３が、抵抗となる係合脚２０、２０の脚拡縮幅部２４、２４近傍を越えて通路１２、１２の拡幅部１２１、１２１から縮幅部１２０、１２０に移動し、これと同時に、係合脚２０、２０における係合爪部２２、２２がソケット１内における主体基部１１１の係合受部１１４、１１４と係合し、さらに、組付用突起１１７、１１７が組付用長孔１０４、１０４の縁部と当接する。これによって、図１に示すように、ソケット１とプラグ２の係合状態が確保される。
【００２３】
ソケット１とプラグ２を脱着するには、単にスライドカバー１０をソケット脱着方向に強く引くだけでよく、該スライドカバー１０を引くことにより、押圧突起１０３、１０３がプラグ２の係合脚２０、２０の外側面２３、２３及びソケット主体１１の内側壁面１１８、１１８を押圧して、係合脚２０、２０を内方へ湾曲状態とし、通路１２、１２内における通路縮幅部１２０、１２０から通路拡幅部１２１、１２１へと移動することにより、ソケット主体基部１１１の係合受部１１４、１１４とプラグ２の係合脚２０、２０における係合爪部２２との係合の解除状態が確保される。
【００２４】
この状態においては、係合脚２０、２０の復元力が押圧突起１０３、１０３に対して戻り方向へ作用するが、通路拡幅部１２１、１２１を形成する係合脚２０、２０の外側面２３、２３が斜面となっていることによって、当該押圧突起１０３、１０３の戻りが防止される。このように戻りが防止されることにより、使用者にとって不用意なソケット１とプラグ２の脱着を防止する構成としている。
【００２５】
ソケット１とプラグ２をどれだけ脱着容易とするかは、通路縮幅部１２０及び通路拡幅部１２１の傾斜面の傾斜角度や幅寸法、押圧突起１０３の寸法、形状等を変更することによって、自由に設定することができる。
【００２６】
また、スライド規制孔１１６及び中央部スライド規制突起１０２がスライドカバー１０の脱落を防止すべく、当該スライドカバー１０の摺動を規制する。
【００２７】
また、本実施例においては、スライド及びスライド規制手段を孔と突起の組合せによって行うものとしたが、スライド方向に規制範囲内で連続する溝と該溝に嵌り込む突起等の組合せによってもスライド及びスライド規制を行うことができる。
【００２８】
更に、本実施例においては、通路縮幅部１２０及び通路拡幅部１２１は、いずれも係合脚２０の外側面２３を傾斜面とすることで形成されるものであるが、図５に他の実施例として示すように、基部側壁１１５の内側壁面１１８に傾斜面を形成して通路縮幅部１２０及び通路拡幅部１２１を形成して、当該傾斜面によって押圧突起１０３を変形させて、該押圧突起１０３で係合脚２０を押圧し、ソケット１とプラグ２との係合を解除することもできる。
【００２９】
また、実施例に係るスライドカバー１０は、カバー基板１０１と、該カバー基板１０１の両側端に立設されたカバー側壁１０２とからなるものとしたが、本発明は当該構成によるものに限定されず、例えば、相互に対向する二枚のカバー基板の両端相互にカバー側壁を介した筒形状等とすることもできる。
【図面の簡単な説明】
【図１】  本発明の実施例に係る合成樹脂製バックルの分解状態を示す平面図である。
【図２】  本発明の実施例に係る合成樹脂製バックルのソケットとプラグを分離した状態を示す平面図である。
【図３】  本発明の実施例に係る合成樹脂製バックルの係合状態を示す一部断面とした平面図である。
【図４】  本発明の実施例に係る合成樹脂製バックルの係合を解除した状態を示す一部断面とした平面図である。
【図５】  本発明の他の実施例に係る合成樹脂製バックルの係合状態を示す一部断面とした平面図である。
【図６】  本発明の実施例に係る合成樹脂製バックルの使用状態を示す説明図である。
【符号の説明】
１      ソケット
１０    スライドカバー
１００  カバー基板
１０１  カバー側壁
１０２  スライド規制突起
１０３  押圧突起
１０４  組付用長孔
１１    ソケット主体
１１０  ベルト連結部
１１１  主体基部
１１２  ベルト通し穴
１１３  基部底面
１１４  係合受部
１１５  基部側壁
１１６  スライド規制孔
１１７  組付用突起
１１８  内側壁面
１１９  スライドガイド部
１２    通路
１２０  通路縮幅部
１２１  通路拡幅部
１３    開口部
２      プラグ
２０    係合脚
２１    ベルト連結部
２２    係合爪部
２３    外側面
２４    脚拡縮幅部
２５    ベルト通し穴
２６    補強部
ｖ１    ベルト
ｖ２    ベルト
【図１】
0003780497.tif 000002
【図２】
0003780497.tif 000003
【図３】
0003780497.tif 000004
【図４】
0003780497.tif 000005
【図５】
0003780497.tif 000006
【図６】
0003780497.tif 000007